(57)【要約】【課題】記録媒体の搬入出口が同じであっても記録媒体の状態（コックリング、カールなど）に係わらず、印字中の記録媒体の波打ちやインクの擦れを防止するインクジェットプリンタ−を提供することを課題とする。【解決手段】キャリッジ６がホームポジションに退避している時は、キャリッジ６が押さえ部材１１に干渉しない位置にいるので、コイルバネ１５によって押さえ部材１１は、上方向に付勢されているので、搬入口が広く開口された状態になる。一方、キャリッジ６が印字領域の幅方向に徐々に走査すると、走査フレーム５がコイルバネ１５に抗して押さえ部材１１を徐々に押し下げて、茶袋Ｗの波打ちを抑えることができる。また、走査フレーム５の底面の開口面の四隅に設けられた押さえリブ５ｂがインクジェットヘッド７回りの茶袋Ｗの波打ちを抑えることができる。【選択図】図１
2017222102.tif 000002
【特許請求の範囲】
【請求項１】
搬入された記録媒体を案内支持するテーブルと、該テーブルと若干のスペースを設けて該テーブルの一側に載置された筐体と、該筐体内に自在に走査するキャリッジと、該キャリッジに着脱自在に搭載されたインクジェットヘッドにより印字されるインクジェトプリンターにおいて、
前記筐体に上下自在に設けられて前記記録媒体の波打ちを抑える押さえ手段を備え、該押さえ手段は、前記キャリッジの走査に同期して上下動することを特徴とするインクジェットプリンター。
【請求項２】
前記押さえ手段は、印字領域内に達すると前記キャリッジの走査に同期して、前記記録媒体の波打ちを抑える方向に動作することを特徴とする請求項１に記載のインクジェットプリンター。
【請求項３】
前記押さえ手段の表面は、印字後のインクが付着しないようにシリコンまたはテフロン（登録商標）またはフッ素がコーティングされていることを特徴とする請求項１または２に記載のインクジェットプリンタ−。
【請求項４】
前記キャリッジの底面には、前記記録媒体の波打ちを抑える押さえリブが設けられていることを特徴とする請求項１ないし３に記載のいずれかのインクジェットプリンター。
【発明の詳細な説明】
【技術分野】
【０００１】
本発明は、波打している記録媒体を搬入しても、印字中や搬出時にインクが擦れてしまわないようなインクジェットプリンタ−に関するものである。
【背景技術】
【０００２】
従来、インクジェットプリンタ−では、鮮明で高品位な印字品質を得るために、プラテンからのインクジェットヘッド方向への紙浮きを防止しつつ、記録媒体とインクジェットヘッドとの間隔をできるだけ狭くする必要があった。
【０００３】
ところが、湿気などによりカールが発生した記録媒体、インクの付与によってコックリングが発生した記録媒体、紙類以外のプラスティック袋や金属箔やこれらが積層されたもので搬入前からカールしている記録媒体などに印字されると、インクジェットヘッドに接触したりインクジェットヘッドの目詰まりを起こしたり、印字後のインクが乾かないうちに排紙ローラーに擦れて鮮明で高品位な印字品質を得ることができなかった。
【０００４】
このような記録媒体のインクジェットヘッド方向への紙浮きを防止するために、記録媒体を案内支持するプラテンに記録媒体の搬送方向にリブが複数設けられるとともに、これらのリブ間に侵入して記録媒体をプラテンに押さえるように弾性変形する弾性部材が配置され、このことによって記録媒体にコシが付与されて紙浮きを防止している記録装置が開示されている（特許文献１参照）。
【０００５】
また、カール癖のついた記録紙の浮き上がりを防止するために、キャリッジの走行方向に対応して揺動し、インクジェットヘッドの移動方向前方側の記録紙を押さえる記録紙押さえ部材がキャリッジに設けられたインクジェット印字装置の記録紙浮き上がり防止装置が開示されている（特許文献２参照）。
【先行技術文献】
【特許文献】
【０００６】
【特許文献１】特開平１１−１３８９２３号公報
【特許文献２】特開平０８−２１６４６９号公報
【発明の概要】
【発明が解決しようとする課題】
【０００７】
しかしながら、特許文献１に記載の記録装置および特許文献２に記載のインクジェット印字装置の記録紙浮き上がり防止装置は、いずれも記録媒体が搬入口から排出口に向けて一方向に記録媒体が搬送される場合であって、記録媒体の状態（コックリング、カールなど）に係わらず、インクジェットヘッド方向への紙浮き又は波打ちを防止するものであって、記録媒体の搬入口と排出口が同一の場合のインクジェットヘッド方向への紙浮き又は波打ち防止に関するものでなかった。
【０００８】
本発明は、上記問題に鑑みてなされたものであって、記録媒体の搬入出口が同じであっても記録媒体の状態（コックリング、カールなど）に係わらず、印字中の記録媒体の波打ちやインクの擦れを防止するインクジェットプリンタ−を提供することを目的とする。
【課題を解決するための手段】
【０００９】
上記の課題を解決するために請求項１に記載のインクジェットプリンタ−は、搬入された記録媒体を案内支持するテーブルと、該テーブルと若干のスペースを設けて該テーブルの一側に載置された筐体と、該筐体内に自在に走査するキャリッジと、該キャリッジに着脱自在に搭載されたインクジェットヘッドにより印字されるインクジェトプリンターにおいて、前記筐体に上下自在に設けられて前記記録媒体の波打ちを抑える押さえ手段を備え、該押さえ手段は、前記キャリッジの走査に同期して上下動するものである。
【００１０】
また、上記の課題を解決するために請求項２に記載のインクジェットプリンタ−は、前記押さえ手段が印字領域内に達すると前記キャリッジの走査に同期して、前記記録媒体の波打ちを抑える方向に動作するものである。
【００１１】
また、上記の課題を解決するために請求項３に記載のインクジェットプリンタ−は、前記押さえ手段の表面が印字後のインクが付着しないようにシリコンまたはテフロン（登録商標）またはフッ素がコーティングされているものである。
【００１２】
また、上記の課題を解決するために請求項４に記載のインクジェットプリンタ−は、前記キャリッジの底面に前記記録媒体の波打ちを抑える押さえリブが設けられているものである。
【発明の効果】
【００１３】
請求項１に記載のインクジェットプリンタ−は、搬入された記録媒体を案内支持するテーブルと、該テーブルと若干のスペースを設けて該テーブルの一側に載置された筐体と、該筐体内に自在に走査するキャリッジと、該キャリッジに着脱自在に搭載されたインクジェットヘッドにより印字されるインクジェトプリンターにおいて、前記筐体に上下自在に設けられて前記記録媒体の波打ちを抑える押さえ手段を備え、該押さえ手段は、前記キャリッジの走査に同期して上下動するので、記録媒体を搬入出する時は、広く開口した搬入出口を設けることができ、波打ちした記録媒体を搬入出し易くなるとともに、搬入出経路にインクが擦れることがなくなる。また、印字中にインクジェットヘッドに記録媒体が触れたり目詰まりを起こしたり、記録媒体にインクが擦れることがなくなる。
【００１４】
また、請求項２に記載のインクジェットプリンタ−は、前記押さえ手段は、印字領域内に達すると前記キャリッジの走査に同期して、前記記録媒体の波打ちを抑える方向に動作するので、印字中にインクジェットヘッドに記録媒体が触れたり目詰まりを起こしたり、記録媒体にインクが擦れることがなくなる。
【００１５】
また、請求項３に記載のインクジェットプリンタ−は、前記押さえ手段の表面が印字後のインクが付着しないようにシリコンまたはテフロン（登録商標）またはフッ素がコーティングされているので、印字後のインクが前記押さえ手段に擦れても鮮明で高品位な印字品質を得ることができる。
【００１６】
また、請求項４に記載のインクジェットプリンタ−は、前記キャリッジの底面に前記記録媒体の波打ちを抑える押さえリブが設けられているので、走査しながら印字するインクジェットヘッド近傍の記録媒体の波打ちを抑えることができる。
【図面の簡単な説明】
【００１７】
【図１】本発明に係るインクジェットプリンタ−の筐体の前面パネルを取り除いた状態であって、インクジェットヘッドが印字位置にいる場合を右斜目から見た全体斜視図である。
【図２】本発明に係るインクジェットプリンタ−のテーブルと筐体の前面パネルを取り除いた状態であって、インクジェットヘッドが印字位置にいる場合を下斜目から見た斜視図である。
【図３】本発明に係るインクジェットプリンタ−の筐体の前面パネルを取り除いた状態であって、インクジェットヘッドがホームポジションに退避している場合の正面図である。
【図４】本発明に係るインクジェットプリンタ−の筐体の前面パネルを取り除いた状態であって、インクジェットヘッドが印字位置にいる場合の正面図である。
【図５】本発明に係るインクジェットプリンタ−のインクジェットヘッドがホームポジションに退避している場合の押さえ部材の走査方向の断面図である。
【図６】本発明に係るインクジェットプリンタ−のインクジェットヘッドが印字位置にいる場合の押さえ部材の走査方向の断面図である。
【図７】図５における矢視Ａ−Ａ断面図である。
【図８】図６における矢視Ｂ−Ｂ断面図である。
【発明を実施するための形態】
【００１８】
以下の実施例にて、本発明に係るインクジェットプリンタ−について実施例に基づいて詳述する。なお、本発明については、実施例の詳細な説明だけに限定されるものでなく、本発明の要旨を逸脱しない範囲で適宜変更可能である。
【実施例】
【００１９】
本実施例では、印字媒体の一例として茶袋に印字する場合のインクジェットプリンタ−について説明する。図１は、本発明に係るインクジェットプリンタ−の筐体の前面パネルを取り除いた状態であって、インクジェットヘッドが印字位置にいる場合を右斜目から見た全体斜視図であり、図２は、本発明に係るインクジェットプリンタ−のテーブルと筐体の前面パネルを取り除いた状態であって、インクジェットヘッドが印字位置にいる場合を下斜目から見た斜視図である。図１および図２において、茶袋Ｗを案内支持するテーブル２と、筐体３のボトムプレート３ｂの底面には、茶袋Ｗ（２点鎖線で示されている。）の搬入方向Ｔの先端の一側に台座３ｃが設けられ、テーブル２の搬入方向の先端の一側と台座３が合わさるように筐体３が片持ちに載置されている。つまり、茶袋Ｗを筐体３に搬入する搬入口から台座３ｃまでの筐体３のボトムプレート３ｂの底面とテーブル２の上面には、スペースが形成され、このスペースに茶袋Ｗを搬入したり排出したりする。インクジェットプリンタ−１は、テーブル２と筐体３とから構成されている。
【００２０】
筐体３のボトムプレート３ｂの搬入方向の先端の両側には、係止フック３ａ、３ａが設けられ、一方、テーブル２のサイドプレート２ｂの搬入方向の先端の両側には、回動すると係止フック３ａ、３ａに対向するように係止レバー２ａ、２ａが設けられ、これらの係止レバー２ａ、２ａが係止フック３ａ、３ａに係止することによってテーブル２と筐体３がしっかりと固定される。また、筐体３のボトムプレート３ｂには、後述するインクジェットヘッド７が走行する領域に開口部３ｄが形成されている。
【００２１】
通常、茶袋Ｗの貼り合わせ目Ｗａのある裏面側に印字されるが、印字する位置決めを行う位置決めガイド４がＬ字状に形成され、位置決めガイド４の搬入方向の一側に設けられたラック４ａとピニオン（テーブル２に内包されて見えない。）とが歯合し、茶袋Ｗの搬入方向Ｔと直行する幅方向に自在に移動するようになっている。作業者は、茶袋Ｗの裏面側に印字したい位置に茶袋Ｗの幅方向の側縁が当接するように位置決めガイド４を移動させて位置決めを行う。
【００２２】
筐体３のサイドフレーム３ｅに茶袋Ｗの搬入方向Ｔに一対のガイドシャフト１２，１２が対向して設けられている。茶袋Ｗの裏面側にインクを吐出して印字を行うインクジェットヘッド７が着脱自在にキャリッジ６に搭載され、このキャリッジ６の走査フレーム５が一対のガイドシャフト１２，１２に茶袋Ｗの搬入方向Ｔに直行する幅方向に摺動自在に走査して、位置決めされた茶袋Ｗの裏面側の所定の位置に走査フレーム５の底面の開口面から覗いたインクジェットヘッド７の吐出面７ａからインクを吐出して印字を行う。また、走査フレーム５の底面の開口面の四隅には、茶袋Ｗの裏面側の波打ちを抑える押さえリブ５ｂが設けられている。
【００２３】
走査フレーム５に設けられた結合部材５ａがタイミングベルト８に係止され、タイミングベルト８の走行とともにキャリッジ６も幅方向に走査する。タイミングベルト８は、駆動モーター１０によってタイミングベルト９とプーリー１３を介して幅方向に走行し、結合部材５ａを介してキャリッジ６も一体となって走査する。
【００２４】
図３は、本発明に係るインクジェットプリンタ−の筐体の前面パネルを取り除いた状態であって、インクジェットヘッドがホームポジションに退避している場合の正面図である。図４は、本発明に係るインクジェットプリンタ−の筐体の前面パネルを取り除いた状態であって、インクジェットヘッドが印字位置にいる場合の正面図である。図５は、本発明に係るインクジェットプリンタ−のインクジェットヘッドがホームポジションに退避している場合の押さえ部材の走査方向の断面図である。図６は、本発明に係るインクジェットプリンタ−のインクジェットヘッドが印字位置にいる場合の押さえ部材の走査方向の断面図である。図５および図６において、枢軸１４が筐体３のボトムプレート３ｂに軸着され、押さえ手段としての押さえ部材１１のボス部１１ａに内包されているコイルバネ１５によって上方に付勢され、押さえ部材１１が枢軸１４の枢軸フランジ１４ａまで上下自在に移動するように枢着されている。
【００２５】
図７は、図５における矢視Ａ−Ａ断面図であり、図８は、図６における矢視Ｂ−Ｂ断面図である。図７および図８において、走査フレーム５の底面の開口面の四隅に設けられている押さえリブ５ｂがインクジェットヘッド７の吐出面７ａより若干突出している。
【００２６】
次に、図３から図８に基づいて、キャリッジ６の走査に同期して押さえ部材１１が茶袋Ｗの波打ちを抑える動作について説明する。図３、図５および図７において、キャリッジ６がホームポジションに退避している時は、キャリッジ６が押さえ部材１１に干渉しない位置に退避しているので、コイルバネ１５によって押さえ部材１１は、枢軸フランジ１４ａに当接されるまで上方向に付勢される。このように付勢されることによって、下面１１ｂが持ち上げられ、押さえ部材１１の下面１１ｂとテーブル２の上面とのスペースは、筐体３のボトムプレート３ｂの下面とテーブル２の上面とのスペースと略同じになるように高くなり、搬入口が広く開口された状態となる。
【００２７】
図示していない操作パネルから印字指令が出されると、駆動モーター１０が駆動されてタイミングベルト９が走行し、プーリー１３を介してタイミングベルト８がホームポジションから徐々に印字領域の幅方向に走行し始める。タイミングベルト８の走行に伴い係止された結合部材５ａによってキャリッジ６が一体となって印字領域の幅方向に徐々に走査し始める。
【００２８】
押さえ部材１１のホームポジション側の斜辺１１ｃは、テーパ状に形成されている。一方、ホームポジションに退避している時の走査フレーム５の摺動面５ｃの高さ方向の位置は、テーパ状に形成されている押さえ部材１１の斜辺１１ｃ上にあり、キャリッジ６が印字領域の幅方向に徐々に走査すると、走査フレーム５の摺動面５ｃが斜辺１１ｃを摺動し、上方向に付勢されたコイルバネ１５に抗して押さえ部材１１を徐々に押し下げる。
【００２９】
摺動面５ｃが上辺１１ｄに摺動すると印字領域に達する。上辺１１ｄの長さは、印字領域よりも若干長くなるように形成されている。キャリッジ６が印字領域に達すると、押さえ部材１１が押し下げられ、押さえ部材１１の下面１１ｂとテーブル２の上面とのスペースは、茶袋Ｗの厚さより若干大きくなる位置まで押し下げられる。
【００３０】
印字前からカールなどして波打ちした茶袋Ｗを搬入する時は、キャリッジ６がホームポジションに退避しているため、押さえ部材１１は、コイルバネ１５によって上方に付勢されているので、搬入口が広く形成された状態で搬入することができる。一方、キャリッジ６が印字領域に達すると、押さえ部材１１が押し下げられて波打ちした茶袋Ｗの浮き上がりを抑えた状態で印字することができる。
【００３１】
また、キャリッジ６の走査フレーム５の底面の開口面の四隅に設けられた押さえリブ５ｂが吐出面７ａより若干突出しているので、インクジェットヘッド７回りの茶袋Ｗのカールやコックリングなどの波打ちを抑えることができる。ここで、印字領域で押さえ部材１１が押し下げられた時の下面１１ｂと押さえリブ５ｂの下面が同じ高さになるのが望ましい。
【００３２】
茶袋Ｗの印字面の搬出経路にあたる押さえ部材１１の下面１１ｂは、印字後の茶袋Ｗが排出される時に、まだ乾燥しきっていないインクが付着しにくいシリコンまたはテフロン（登録商標）またはフッ素がコーティングされている。コーティングに代えて、押さえ部材１１の下面１１ｂに同等の機能を有するシート材を貼付することもできる。また、茶袋Ｗの印字面の搬出経路にあたる筐体３のボトムプレート３ｂの下面を同様に、シリコンまたはテフロン（登録商標）またはフッ素コーティングしたり、または、同等の機能を有するシート材を貼付しても良い。
【００３３】
本実施例では、茶袋の貼り合わせ目Ｗａのある裏面に印字する場合について説明してあるが、普通紙や和紙やアルミなどの金属箔の袋またはこれらの積層された袋、あるいは、通常の単用紙など、いろいろな種類の記録媒体に印字することができる。
【産業上の利用可能性】
【００３４】
近年、消費者の商品に対する安全・安心に関心が関心が高まり、生産から販売に至るまで各流通過程において商品情報が分かるようにトレーサビリティとして、ラベルに印字して商品に貼ったり商品の包装材に直接印字したりしている。このように商品のいろいろな包装材に直接印字する方法として、インクジェットプリンターが広く利用されている。
【符号の説明】
【００３５】
１    インクジェットプリンタ−
２    テーブル
２ａ    係止レバー
２ｂ    サイドプレート
３    筐体
３ａ    係止フック
３ｂ    ボトムプレート
３ｃ    台座
３ｄ    開口部
３ｅ    サイドフレーム
４    位置決めガイド
４ａ    ラック
５    走査フレーム
５ａ    結合部材
５ｂ    押さえリブ
５ｃ    摺動面
６    キャリッジ
７    インクジェットヘッド
７ａ    吐出面
８、９    タイミングベルト
１０    駆動モーター
１１    押さえ部材
１１ａ    ボス部
１１ｂ    下面
１１ｃ    斜辺
１１ｄ    上辺
１２    ガイドシャフト
１３    プーリー
１４    枢軸
１４ａ    枢軸フランジ
１５    コイルバネ
Ｗ    茶袋
Ｗａ    貼り合わせ目
【図１】
2017222102.tif 000003
【図２】
2017222102.tif 000004
【図３】
2017222102.tif 000005
【図４】
2017222102.tif 000006
【図５】
2017222102.tif 000007
【図６】
2017222102.tif 000008
【図７】
2017222102.tif 000009
【図８】
2017222102.tif 000010